(57)【特許請求の範囲】
【請求項１】
商品収納室を形成するキャビネット本体と、該キャビネット本体の前面開口部を開閉可能に閉塞するドア本体と、該ドア本体の前面に組付けられる操作パネルとの基本形態を有する機体からなり、
該機体の周面に、多種多様な機能を有する外装体を所望の選択位置で取付け可能にしてなることを特徴とする自動販売機。
【請求項２】
前記機体の周面に、前記各々の外装体が任意の位置に選択的に取付け可能な多数の取付部を設けてなることを特徴とする請求項１に記載の自動販売機。
【請求項３】
前記取付部を所定ピッチでマトリクス状に設けたことを特徴とする請求項２に記載の自動販売機。
【請求項４】
前記各々の取付部をカバー部材にて取外し可能に隠蔽してなることを特徴とする請求項２，３に記載の自動販売機。
【発明の詳細な説明】
【０００１】
【発明の属する技術分野】
本発明は、例えば缶入りのコーヒーや清涼飲料水等の商品を販売するに用いられる自動販売機に関し、更に詳しくは、機体の周面に多種多様な機能を有するオプション部品からなる外装体が設置場所の各々のロケーションの要求に応じて任意に取付け可能な自動販売機に関するものである。
【０００２】
【従来の技術】
屋外や屋内等に設置される自動販売機は、購買者に対する購買意欲や便宜性を含め、設置場所の各々のロケーションの要求に応じた多種多様な機能性と、その周囲の景観や環境との調和が図れるように、機体の外装構造には、様々な工夫を施して開発が行われている。
【０００３】
【発明が解決しようとする課題】
しかしながら、従来の自動販売機においては、機体を各々のロケーションの要求に応じて個々に開発すると、少量多品種のものとなり、これによって、開発コストが高くなるばかりでなく、生産性にも劣る。
【０００４】
しかも、機体の開発にあたっては、不特定多数のロケ地に設置されることを考慮して設計が行われていることから、各々のロケ地の要求をきめ細かく機体に反映させることができない。
【０００５】
また従来、機体自体の色調を設置場所の周囲の景観や環境との調和が図れるような色に着色塗装してなる形態を有するものがあるが、単に、外観上の見た目だけの設計変更であり、購買者に対する購買意欲や便宜性を高めたり、多種多様な機能性を持たせるようにする開発テーマを満足させるに乏しい。
【０００６】
さらに従来、本出願人が先に出願し公開された特開平８−２８７３３２号公報に開示したように、キャビネット本体の前面開口部を開閉可能に閉塞するドア本体の前面に、外装パネルを取付けてなる構成を有するものがあるが、ドア本体の前面という機体の特定部位にのみ、特定な機能及び形態からなる外装体を単に取付け可能にしてなるものに過ぎない。
【０００７】
本発明は、上記した事情に鑑みてなされたもので、機体の全周面に多種多様な機能を有するオプション部品からなる外装体が設置場所の各々のロケーションの要求に応じて任意に取付け可能にして、購買者に対する購買意欲や便宜性を含めて、多種多様な機能性を持たせることができるようにした自動販売機を提供することを目的とする。
【０００８】
【課題を解決するための手段】
上記した課題を解決するために、本発明の請求項１に記載の発明は、商品収納室を形成するキャビネット本体と、該キャビネット本体の前面開口部を開閉可能に閉塞するドア本体と、該ドア本体の前面に組付けられる操作パネルとの基本形態を有する機体からなり、該機体の周面に、多種多様な機能を有する外装体を所望の選択位置で取付け可能にしてなることを特徴とする。
【０００９】
請求項２に記載の発明は、請求項１に記載の発明において、前記機体の周面に、前記各々の外装体が任意の位置に選択的に取付け可能な多数の取付部を設けてなることを特徴とする。
【００１０】
請求項３に記載の発明は、請求項２に記載の発明において、前記取付部を均一に整列させて設けてなることを特徴とする。
【００１１】
請求項４に記載の発明は、前記各々の取付部をカバー部材にて取外し可能に隠蔽してなることを特徴とする。
【００１２】
すなわち、本発明に係る自動販売機によれば、基本形態を有する機体の陰影面を除く全周面に、多種多様な機能を有する標準部品あるいはオプション部品からなる外装体を所望の選択位置で別体的に取付け可能にしてなるために、購買者に対する購買意欲や便宜性を含めて、設置場所の各々のロケーションの要求に応じて機体への外装体の取付けが任意の位置に選択的にかつ容易に行え、これによって、機体のバリエーションの多様化が図れるとともに、周囲の景観や環境に調和させて多種多様な機能性を持たせることが可能になる。
【００１３】
【発明の実施の形態】
以下、本発明の実施の形態を図面を参照しながら詳細に説明すると、図１から図４は、本発明に係る自動販売機の第１実施形態を示す。
【００１４】
図１に示すように、符号１は機体で、この機体１は、図２に示すように、商品収納室を形成するキャビネット本体２と、このキャビネット本体２の前面開口部を開閉可能に閉塞するドア本体３と、このドア本体３の前面に組付けられる操作パネル４との基本形態を有するとともに、この操作パネル４は、例えば商品選択・販売機能、金銭投入機能及び釣銭返却機能等の各種機能を有する。
【００１５】
そして、機体１の全周面、例えば天板面１ａ及び底板面１ｂの陰影面を除く前面１ｃ、左右両側面１ｄ，１ｅ及び背面１ｆの露呈面となる全周面には、取付部としての多数の取付穴５が縦横に所定の間隔を存して均一に整列させて設けられ、これら各々の取付穴５には、図３に示すように、例えば購買者に対する購買意欲や便宜性を含めて、設置場所の各々のロケーションの要求に応じて形成された多種多様な機能を有する標準部品あるいはオプション部品からなる外装体１０，２０，３０，４０，５０がそれぞれ所望の選択位置に取付け可能になっている。
【００１６】
また、各々の外装体１０，２０，３０，４０，５０の取付部位以外の取付穴５には、図４に示すように、例えばプラスチック素材等にてボルト加工を施したカバー部材６が雨水防止パッキン７を介して隠蔽可能に差し込まれるようになっているもので、このカバー部材６のボルト軸６ａは、機体１の裏面側から当て行われるナット８にて締付け保持されている。
【００１７】
すなわち、図３に示すように、機体１の前面１ｃ側の上部に選択的に取り付けられる外装体１０は、例えば商品展示ディスプレイで、その背面側の各々の隅部には、ボルト軸１１が各々の取付穴５に対応するように突出させて設けられ、これら各々のボルト軸１１を各々の取付穴５に差し込んで、前記カバー部材６の取付けと同様に、ナット８にて締付け保持されるようになっている。
【００１８】
上述したようなカバー部材６を設けることにより、外装体が取付けられた取付面以外の機体周面における取付部への悪戯や雨水等の侵入などといった不具合も回避できるようになっている。
【００１９】
機体１の左側面１ｄ側に選択的に取り付けられる外装体２０は、例えば広告塔の機能を有する縦長ポスターディスプレイで、その背面側の各々の隅部には、ボルト軸２１が各々の取付穴５に対応するように突出させて設けられ、これら各々のボルト軸２１を各々の取付穴５に差し込んで、上述した外装体１０の取付けと同様に、ナット８にて締付け保持されるようになっている。
【００２０】
機体１の右側面１ｅ側の上部に選択的に取り付けられる外装体３０は、上記した外装体２０と同様に、広告塔の機能を有する小型ポスターディスプレイで、その背面側の各々の隅部には、ボルト軸３１が各々の取付穴５に対応するように突出させて設けられて、上述した外装体１０，２０の取付けと同様に、ナット８にて締付け保持されるようになっている。
【００２１】
機体１の右側面１ｅ側の中央部に選択的に取り付けられる外装体４０は、例えば購入した商品や荷物等が載せられるテーブルで、その左右両端部から背面側に向かって延びるステー４１の先端のボルト軸４１ａを各々の取付穴５に対応するように突出させて設けて、上述した外装体１０，２０，３０の取付けと同様に、ナット８にて締付け保持されるようになっている。
【００２２】
機体１の背面１ｆ側に選択的に取り付けられる外装体５０は、上記した外装体２０，３０と同様に、広告塔の機能を有する大型ポスターディスプレイで、その背面側の各々の隅部にボルト軸５１を各々の取付穴５に対応するように突出させて設けて、上述した外装体１０，２０，３０，４０の取付けと同様に、ナット８にて締付け保持されるようになっている。
【００２３】
このような本発明に係る第１実施形態の自動販売機は、上記した各々の外装体１０，２０，３０，４０，５０の機体１への取付けに際して、動的なロケーションを想定して各々の外装体１０，２０，３０，４０，５０のオプション部品が製作され、これによって、機体のバリエーションの多様化が図れるとともに、周囲の景観や環境に調和させて多種多様な機能性を持たせることが可能になる。
【００２４】
図５及び図６は、本発明に係る自動販売機の第２実施形態を示すもので、機体１の前面１ｃ側の上部中央に選択的に取り付けられる外装体６０は、例えば商品展示ディスプレイで、その背面側の各々の隅部には、ボルト軸６１が各々の取付穴５に対応するように突出させて設けられて、上述した第１実施形態と同様に、ナット８にて締付け保持されるようになっている。
【００２５】
また、機体１の前面１ｃ側に外装体６０を間に挾んで左右に選択的に取り付けられる外装体、左右両側面１ｄ，１ｅ及び背面１ｆにそれぞれ選択的に取り付けられる外装体は、周囲の景観に調和する色調に着色またはデザイン化したデコレーションパネル７０で、これら各々のデコレーションパネル７０は、機体１の全面を被覆するように配置されているとともに、その背面側の各々の隅部には、ボルト軸７１が各々の取付穴５に対応するように突出させて設けられて、ナット８にて締付け保持されるようになっている。
【００２６】
さらに、機体１の右側面１ｅ側下部に選択的に取り付けられる外装体８０は、例えば購買者に対する休息を目的としたイスで、その背面側の左右両隅部にボルト軸８１を各々の取付穴５に対応するように突出させて設けて、ナット８にて締付け保持されるようになっている。
【００２７】
このような本発明に係る第２実施形態の自動販売機は、上記した各々の外装体６０，７０，８０の機体１への取付けに際して、静的なロケーションを想定して各々の外装体６０，７０，８０のオプション部品が製作され、これによって、機体のバリエーションの多様化が図れるとともに、周囲の景観や環境に調和させて多種多様な機能性を持たせることが可能になる。
【００２８】
なお、外装体の取付部はボルト・ナットによる固定でなく、例えば嵌め込み式による固定であっても良く、また、機体側にボルトを設けて外装体をナット止めするように構成しても良い。
【００２９】
本発明は、上記した実施形態には限定されず、本発明の要旨を免脱しない範囲で種々変更実施可能なことは云うまでもない。
【００３０】
【発明の効果】
以上の説明から明らかなように、本発明に係る自動販売機は、基本形態を有する機体の周面に、多種多様な機能を有する標準部品あるいはオプション部品からなる外装体を所望の選択位置で別体的に取付け可能にしてなることから、購買者に対する購買意欲や便宜性を含めて、設置場所の各々のロケーションの要求に応じて機体への外装体の取付けを任意の位置に選択的にかつ容易に行うことができ、これによって、機体のバリエーションの多様化を図ることができるとともに、周囲の景観や環境に調和させて多種多様な機能性を持たせることができる。
【図面の簡単な説明】
【図１】本発明に係る自動販売機の第１実施形態を示す説明図。
【図２】同じく機体の基本形態を示す説明図。
【図３】同じく外装体を分解して示す説明図。
【図４】図３のＡ−Ａ線におけるカバー部材の取付状態を示す要部拡大断面図。
【図５】本発明に係る自動販売機の第２実施形態を示す説明図。
【図６】同じく外装体を分解して示す説明図。
【符号の説明】
１        機体
１ａ      天板面
１ｂ      底板面
１ｃ      前面
１ｄ      左側面
１ｅ      右側面
１ｆ      背面
２        キャビネット本体
３        ドア本体
４        操作パネル
５        取付穴
６        カバー部材
６ａ      ボルト軸
８        ナット
１０      外装体（商品展示ディスプレイ）
１１      ボルト軸
２０      外装体（縦長ポスターディスプレイ）
２１      ボルト軸
３０      外装体（小型ポスターディスプレイ）
３１      ボルト軸
４０      外装体（テーブル）
４１      ステー
４１ａ    ボルト軸
５０      外装体（商品展示ディスプレイ）
５１      ボルト軸
６０      外装体（大型ポスターディスプレイ）
６１      ボルト軸
７０      外装体（デコレーションパネル）
７１      ボルト軸
８０      外装体（イス）
８１      ボルト軸
【図１】
0003835072.tif 000002
【図２】
0003835072.tif 000003
【図３】
0003835072.tif 000004
【図４】
0003835072.tif 000005
【図５】
0003835072.tif 000006
【図６】
0003835072.tif 000007